(57)【要約】【課題】野菜等の植物を栽培するとともにこの栽培中の植物を観賞するのに適した植物栽培装置を提供する。【解決手段】植物栽培装置１は、養液容器４ａを有した栽培トレイ４と、上記養液容器４ａの上方に位置し、栽培植物Ｐの取り出し側に下り傾斜する植物栽培プレート５と、上記植物栽培プレート５の上方に位置し、上記栽培植物Ｐの取り出し側とは反対の方向に光照射面が向くように傾斜配置された照明装置６と、を備える。そして、この植物栽培装置１は、４本の脚部２を有しており、家屋のリビングや廊下などに配置することができる。【選択図】図１
2014011970.tif 000002
【特許請求の範囲】
【請求項１】
養液容器と、上記養液容器の上方に位置し、栽培植物の取り出し側に下り傾斜する植物栽培プレートと、上記植物栽培プレートの上方に位置し、上記栽培植物の取り出し側とは反対の方向に光照射面が向くように傾斜配置された照明装置と、を備えたことを特徴とする植物栽培装置。
【請求項２】
請求項１に記載の植物栽培装置において、上記照明装置の上方に収容スペースが設けられていることを特徴とする植物栽培装置。
【請求項３】
請求項２に記載の植物栽培装置において、上記収容スペースに捕虫器が設けられていることを特徴とする植物栽培装置。
【請求項４】
請求項１〜請求項３のいずれか１項に記載の植物栽培装置において、上記照明装置の上方に傾斜排熱部が形成されていることを特徴とする植物栽培装置。
【請求項５】
請求項４に記載の植物栽培装置において、上記傾斜排熱部には上記照明装置の放熱板が位置しており、この放熱板は上記傾斜排熱部を通る上昇空気を上方に案内するように配置されていることを特徴とする植物栽培装置。
【請求項６】
請求項１〜請求項５のいずれか１項に記載の植物栽培装置において、上記栽培植物の取り出し側とは反対の側に背板が設けられていることを特徴とする植物栽培装置。
【請求項７】
請求項１〜請求項６のいずれか１項に記載の、上記照明装置の照射光を栽培植物に向けて反射する反射板が設けられていることを特徴とする植物栽培装置。
【発明の詳細な説明】
【技術分野】
【０００１】
この発明は、野菜等の植物を栽培する植物栽培装置に関する。
【背景技術】
【０００２】
特許文献１には、家庭用の植物栽培装置が開示されている。具体的には、この植物栽培装置は、上下複数段に配設保持される栽培ベッドと、栽培植物の成長に応じて上下に移動させられる人工光源を有する天井部と、人工光源と連動して上下に移動させられる給気部と、を備えている。上記栽培ベッドは、栽培槽と、栽培槽の上部に嵌着され養液の流路を形成するとともに、流路に向けて植物根が露出するようにして栽培植物を植付状態とする植付パネルと、から構成されている。
【先行技術文献】
【特許文献】
【０００３】
【特許文献１】特許４３１４３１６号公報
【発明の開示】
【発明が解決しようとする課題】
【０００４】
しかしながら、上記従来の家庭用の植物栽培装置は、栽培中の野菜等の植物を観賞するのに適したものではなかった。
【０００５】
この発明は、上記の事情に鑑み、野菜等の植物を栽培するとともにこの栽培中の植物を観賞するのに適した植物栽培装置を提供することを課題とする。
【課題を解決するための手段】
【０００６】
この発明の植物栽培装置は、上記の課題を解決するために、養液容器と、上記養液容器の上方に位置し、栽培植物の取り出し側に下り傾斜する植物栽培プレートと、上記植物栽培プレートの上方に位置し、上記栽培植物の取り出し側とは反対の方向に光照射面が向くように傾斜配置された照明装置と、を備えたことを特徴とする。
【０００７】
上記の構成であれば、上記植物栽培プレートが栽培植物の取り出し側に下り傾斜しているので、栽培植物の取り出しが行い易いとともに、上記取り出し側から栽培植物の生育の様子が見やすく、上記取り出し側から植物観賞が好適に行えることになる。また、植物栽培装置の奥行き寸法に対して上記植物栽培プレートの奥行き寸法が長くなり、植物の生育空間を大きくできる。また、上記照明装置が上記栽培植物の取り出し側とは反対の方向に光照射面が向くように傾斜配置されているので、上記照明装置から照射される光が上記取り出し側に直接届くのを低減できる。したがって、上記取り出し側から栽培植物の生育の様子を見るときに上記照明装置の照射光は直接に目に入らないため、目の負担を軽減でき、上記取り出し側から植物観賞が好適に行えることになる。
【０００８】
上記照明装置の上方に収容スペースが設けられていてもよい。これによれば、上記照明装置の上方空間はデッドスペースとならずに器具を収納できるようになるので、上記器具の設置によって植物生育空間が狭くなるのを防止できる。
【０００９】
上記収容スペースに捕虫器が設けられていてもよい。これによれば、上記捕虫器によって栽培植物に近寄る害虫等を捕獲することができる。また、上記捕虫器を設置するために別途スペースを確保する必要がなくなる。
【００１０】
上記照明装置の上方に傾斜排熱部が形成されていてもよい。これによれば、上記照明装置により発生した熱を上記傾斜排熱部によって効率的に上方側に導いて装置外に排出することができる。
【００１１】
上記傾斜排熱部には上記照明装置の放熱板が位置しており、この放熱板は上記傾斜排熱部を通る上昇空気を上方に案内するように配置されていてもよい。これによれば、上記照明装置により発生した熱をさらに効率よく装置外に排出できる。
【００１２】
上記栽培植物の取り出し側とは反対の側に背板が設けられていてもよい。これによれば、当該植物栽培装置を室内の壁に接して配置する場合において、上記養液が飛び散ったとしても上記壁に付着するのを上記背板で防止することができる。
【００１３】
上記照明装置の照射光を栽培植物に向けて反射する反射板が設けられていてもよい。これによれば、上記照明装置の照射光を無駄なく栽培植物に与えることができる。
【発明の効果】
【００１４】
本発明であれば、家庭等で植物を栽培しながら植物観賞が好適に行える等の諸効果を奏する。
【図面の簡単な説明】
【００１５】
【図１】本発明の一実施形態に係る植物栽培装置を示した斜視図である。
【図２】図１の植物栽培装置を側面から見た部分拡大図である。
【図３】図１の植物栽培装置を正面から見た部分拡大図である。
【図４】本発明の他の実施形態に係る多段型の植物栽培装置を示した斜視図である。
【発明を実施するための最良の形態】
【００１６】
次に、この発明の実施形態に係る植物栽培装置を添付図面に基づいて具体的に説明する。なお、本発明に係る植物栽培装置は、下記の実施形態に示したものに限定されず、その要旨を変更しない範囲において適宜変更して実施できるものである。
【００１７】
図１に示しているように、この実施形態の植物栽培装置１は、例えば４本の脚部２を有しており、家屋のリビングや廊下などに配置することができる。
【００１８】
上記植物栽培装置１は、野菜等の植物を水耕栽培により育成する装置であり、支持板３上に置かれる栽培トレイ４、上記栽培トレイ４上に載置される植物栽培プレート５、上記植物栽培プレート５の上方に位置する照明装置６等、を備える。
【００１９】
上記栽培トレイ４は、上記支持板３上で例えば前後方向にスライド可能に設けられている。また、上記栽培トレイ４内には、養液が充填される養液容器４ａと、上記養液容器４ａから養液を吸引する吸引部４ｂと、上記吸引部４ｂに接続されたホース４ｃと、上記ホース４ｃに接続された循環ポンプ４ｄと、上記循環ポンプ４ｄから吐出される養液を上記養液容器４ａに戻すパイプ部４ｅと、が設けられている。なお、図示はしていないが、養液の汚れを除去するフィルターなども設けられる。
【００２０】
図２および図３にも示しているように、上記植物栽培プレート５は、栽培植物Ｐの取り出し側（植物栽培装置１の正面側）に約３０度の角度で下り傾斜している。この実施形態では、上記栽培トレイ４の上面開口の縁を傾斜させることにより、この上面開口に上記植物栽培プレート５を配置したときに当該植物栽培プレート５が上記のように傾斜するようにしているが、このような配置構造によって上記植物栽培プレート５を傾斜させることに限るものではない。上記植物栽培プレート５には、３個の貫通穴５ａが上記養液容器４ａの略真上に位置するように形成されている。上記貫通穴５ａには栽培植物Ｐの根の基部側が例えばウレタンスポンジ５ｂで包まれた状態で挿入されている。この状態で上記栽培植物Ｐの根の先端側が上記養液容器４ａ内の養液に浸かることができるようになっている。
【００２１】
上記照明装置６は、例えば植物の栽培に適した波長の光を出射する発光ダイオード（ＬＥＤ）６ａと、その点灯や調光の制御を行う基板部６ｂと、この基板部６ｂの背面側に設けられた放熱板６ｃと、からなる。上記発光ダイオード６ａが照射する光は可視光（４００ｎｍ〜７００ｎｍ）外の領域に波長のピークがある場合があり、このような光は人にとって疲れを感じさせやすいものになる。
【００２２】
上記照明装置６は、上記栽培植物Ｐの取り出し側とは反対の方向に光照射面が向くように傾斜配置されている。この場合、上記植物栽培プレート５と上記照明装置６とを互いに平行に位置させることができるが、このような平行配置に限るものではない。上記放熱板６ｃは、照明装置６の傾斜方向と平行に配置されており、後述する傾斜排熱部１１を通る上昇空気を上方に案内する。
【００２３】
上記照明装置６の上方には、当該照明装置６と平行に傾斜板７が設けられており、この傾斜板７と天板１２との間において収容スペース７ａが形成される。この収容スペース７ａには、例えば上記照明装置６の電源部８などが設けられている。さらに、上記収容スペース７ａには、捕虫器９および誘虫灯１０が設けられている。上記捕虫器９は例えば粘着シートを剥離可能有しており、この粘着シートによって捕獲された虫を粘着シートごと捨てることができる構造、或いは、引き出し状の箱内に捕獲虫が溜められる構造等を有する。使用者は上記捕虫器９に対する操作や入れ換え等を上記植物栽培装置１の正面側から行うことができる。上記捕虫器９は上記植物栽培装置１の専用物でもよいし非専用物でもよい。上記誘虫灯１０は虫を誘引する紫外線等を出射するランプからなる。また、上記誘虫灯１０を制御する図示しない制御部は、例えば上記照明装置６がタイマー等で消灯されるときに上記誘虫灯１０を点灯させることもできる。また、上記収容スペース７ａに捕虫器９および誘虫灯１０が設けられると、捕獲された虫を見えにくくでき、また目に有害な上記誘虫灯１０からの光は目に入りにくくなる。
【００２４】
上記傾斜板７と上記基板部６ｂとの間に傾斜排熱部１１が形成されている。この傾斜排熱部１１内に上記放熱板６ｃが位置することになる。また、上記傾斜板７はこの実施形態では上記天板１２の奥行き全体に渡る長さを有していないので、上記傾斜排熱部１１の上端側に上記天板１２が存在することになる。そして、上記上端側となる上記天板１２の箇所には放熱開口部１２ａが形成されている。
【００２５】
上記植物栽培装置１の取り出し側とは反対の側に、防水加工が施された背板１３が設けられている。そして、上記背板１３には上記照明装置６からの光を栽培植物Ｐに向けて反射する反射板１４が設けられている。上記反射板１４は例えば微小凹凸を有する白色の乱反射板からなる。
【００２６】
このような構成の植物栽培装置１であれば、上記植物栽培プレート５が栽培植物Ｐの取り出し側に下り傾斜しているので、栽培植物Ｐの取り出しが行い易いとともに、上記取り出し側から栽培植物Ｐの生育の様子が見やすく、上記取り出し側から植物観賞が好適に行えることになる。また、植物栽培装置１の奥行き寸法に対して上記植物栽培プレート５の奥行き寸法が長くなり、植物の生育空間を大きくできる。また、上記照明装置６が上記栽培植物Ｐの取り出し側とは反対の方向に光照射面が向くように傾斜配置されているので、上記照明装置６から出射される光が上記取り出し側に直接届くのを低減できる。したがって、上記取り出し側から栽培植物Ｐの生育の様子を見るときに上記照明装置６の照射光は直接に目に入らないため、目の負担を軽減でき、上記取り出し側から植物観賞が好適に行えることになる。なお、上記植物栽培プレート５が傾斜配置されると、上記養液容器４ａに浸からない栽培植物Ｐの根が空気に触れるため、栽培植物Ｐの根に酸素が提供されやすくなる。
【００２７】
また、上記照明装置６の上方に収容スペース７ａが設けられており、上記照明装置６の上方空間はデッドスペースとならずに電源部８等を収納できるので、上記電源部８等の設置によって植物生育空間が狭くなるのを防止できる。
【００２８】
また、上記収容スペース７ａに捕虫器９が設けられているので、上記捕虫器９によって栽培植物Ｐに近寄る害虫等を捕獲することができる。また、上記捕虫器９を設置するために別途スペースを確保する必要がなくなる。なお、上記捕虫器９を上記収容スペース７ａの奥側に配置することもできる。この場合、上記捕虫器９を植物栽培装置１の側面や天板１２に設けた扉から取り出すようにすることができる。
【００２９】
また、上記収容スペース７ａと上記照明装置６との間に傾斜排熱部１１が形成されているので、上記照明装置６等により発生した熱を上記傾斜排熱部１１および放熱開口部１２ａによって効率的に上方側に導いて装置外に排出できる。
【００３０】
また、上記傾斜排熱部１１には照明装置６の放熱板６ｃが設けられており、この放熱板６ｃは上記傾斜排熱部１１の傾斜方向と平行に配置され、上記傾斜排熱部１１を通る上昇空気を上方に案内するので、上記照明装置６により発生した熱をさらに効率よく装置外に排出できる。
【００３１】
また、上記栽培植物Ｐの取り出し側とは反対の側に背板１３が設けられているので、当該植物栽培装置１をリビング等の壁に接して配置する場合において、上記養液が飛び散ったとしても上記壁に付着するのを防止することができる。
【００３２】
また、上記背板１３には上記照明装置６からの光を栽培植物Ｐに向けて反射する反射板１４が設けられているので、上記照明装置６からの光を無駄なく栽培植物Ｐに与えることができる。なお、上記背板１３自体が反射板として機能するようにしてもよい。
【００３３】
なお、植物栽培装置１の側面に側板を設け、植物栽培装置１内に塵埃や虫が浸入するのを低減するようにしてもよい。上記側板に上記傾斜排熱部１１に通じる放熱開口部を形成してもよい。また、上記側板に上記収容スペース７ａに通じる虫の誘い穴を形成してもよく、この場合に上記誘い穴から上記誘虫灯１０の光が出るようにしておくのがよい。
【００３４】
また、植物栽培装置１の上記取り出し側に例えば透明な開閉蓋を設けてもよい。このように開閉蓋を設けると、簡易な空調システムを植物栽培装置１に設ける場合において、育成室内の温度管理等が行い易くなる。また、植物栽培装置１の上記取り出し側に不透明または半透明の開閉蓋を設けてもよい。これによれば、例えば栽培植物Ｐが観賞にあまり適さなくなったときに、上記開閉蓋を閉めて栽培植物が見えないようにすることもできる。また、上記半透明の開閉蓋を設けた場合には、これを閉めたときに植物栽培装置１が間接照明として機能することもできる。
【００３５】
また、上記の実施形態では１段形式の植物栽培装置１を示したが、図４に示しているように、多段形式の植物栽培装置１とすることもできる。この場合、段と段の間で養液を循環させる構成とはせずに、各段で独立して養液を循環させることとすると、植物栽培装置１の構造の簡素化が図られ、また、栽培トレイの出し入れが簡単に行えることになる。もちろん、段と段の間で養液を循環させる構成を採用することもできる。
【００３６】
また、上記植物栽培プレート５は約３０度の角度で傾斜配置されたが、このような角度に限らない。上記植物栽培プレート５は例えば１５度〜４５度の範囲で傾けられるのが望ましい。また、上記照明装置６も約３０度の角度で傾斜配置されるが、このような角度に限らない。上記照明装置６も例えば１５度〜４５度の範囲で傾けられるのが望ましい。
【００３７】
また、植物栽培装置１が４本の脚部２を有する構成であったが、これに限らない。例えば、植物栽培装置１は壁に埋め込まれるようにしてもよいし、壁に吊り下げられるようにしてもよい。
【符号の説明】
【００３８】
１      植物栽培装置
４      栽培トレイ
４ａ    養液容器
５      植物栽培プレート
６      照明装置
６ａ    発光ダイオード
６ｂ    基板
６ｃ    放熱板
７ａ    収容スペース
９      捕虫器
１１    傾斜排熱部
１２    天板
１３    背板
１４    反射板
【図１】
2014011970.tif 000003
【図２】
2014011970.tif 000004
【図３】
2014011970.tif 000005
【図４】
2014011970.tif 000006